(57)【要約】【課題】本発明は折り畳み携帯型通信機に関するものであり、画像表示部側において着信音、音声付メール、ゲーム等の音声をクリアに再生することにある。【解決手段】内面にキー操作部４を配置した本体ケース１と、画像表示部５を配置した上ケース２とがヒンジ機構を介して開閉可能に連結し、この連結部３に着信音再生用スピーカ６を配置し、折り畳み携帯型通信機の開閉に関係無く全方向においてクリアな着信音等の再生を実現するものである。【選択図】  図１
2004193931.tif 000002
【特許請求の範囲】
【請求項１】
本体ケースと上ケースとをヒンジ機構を介して開閉可能に連結し、本体ケースの内面にキー操作部を配置し、上ケースの内面に画像表示部を配置した折り畳み携帯型通信機において、上記ヒンジ機構としての連結部に着信音再生用スピーカを配置した折り畳み携帯型通信機。
【請求項２】
本体ケース端部の固定部に着信音再生用スピーカを配置した請求項１記載の折り畳み携帯型通信機。
【請求項３】
上ケース端部の可動部に着信音再生用スピーカを配置した請求項１記載の折り畳み携帯型通信機。
【請求項４】
本体ケースと上ケースとをヒンジ機構を介して開閉可能に連結し、本体ケースの内面にキー操作部を配置し、上ケースの内面に画像表示部を配置した折り畳み携帯型通信機において、上記ヒンジ機構としての連結部に着信音再生用スピーカの放音部を配置した折り畳み携帯型通信機。
【請求項５】
連結部の固定部側に着信音再生用スピーカの放音部を配置した請求項４記載の折り畳み携帯型通信機。
【請求項６】
連結部の可動部に着信音再生用スピーカの放音部を配置した請求項４記載の折り畳み携帯型通信機。
【発明の詳細な説明】
【０００１】
【発明の属する技術分野】
本発明は、折り畳み携帯型通信機に関するものである。
【０００２】
【従来の技術】
近年、携帯型通信機は音声付メールやゲームに使用されることが多く、画像の鮮明さと共にクリアな音声の再生が要求されている。
【０００３】
従来の折り畳み携帯型通信機について説明する。図９は従来の折り畳み携帯型通信機の開いた状態を示す正面図であり、図１０は従来の折り畳み携帯型通信機の閉じた状態を示す正面図である。図９，１０において、折り畳み携帯型通信機は、本体ケース１１と上ケース１２とヒンジ機構としての連結部１３により構成され、本体ケース１１端部の固定部１３ｃと上ケース１２端部の可動部１３ｂとを軸１３ａにて回動可能に連結している。そして、携帯時には本体ケース１１と上ケース１２をヒンジ機構としての連結部１３を介して折り畳むことによって小型化し、通信時には両ケース１１，１２を開くことによって、本体ケース１１の内面にはキー操作部１４と送話部１８を、上ケース１２の内面には画像表示部１５と主受話部１７を露出させ、通話を可能とするものである。また、ケース１２の背面には着信音を再生するスピーカ機能を兼ね備えた補助受話部１６を設け、折り畳み携帯型通信機を閉じた状態でも通話が可能となるものである。
【０００４】
このような折り畳み携帯型通信機は、キー操作部１４は上ケース１２によって覆われているため、意思に反してキーが押されることがなく、携帯に便利とされている。
【０００５】
なお、この出願の発明に関連する先行技術文献情報としては、例えば特許文献１が知られている。
【０００６】
【特許文献１】
特開２００１−２１１２４１号公報
【０００７】
【発明が解決しようとする課題】
上記折り畳み携帯型通信機は、会話用として便利であるが、最近の携帯型通信機は音声付メールやゲームの使用が多く、折り畳みを開いて画像表示した状態で音声付メールやゲームの音声を再生する使用頻度が増加している。
【０００８】
しかし、折り畳みを開いて画像表示した状態では音声を再生するスピーカとしての補助受話部１６は画像表示部１５側の背面に位置するため、クリアな音声の再生が困難となる課題を有していた。
【０００９】
そこで本発明の折り畳み携帯型通信機は、上記課題を解決するもので、折り畳み携帯型通信機の開閉に関係無く、クリアな着信音や、音声付メール、ゲームの音声をクリアに再生可能とするものである。
【００１０】
【課題を解決するための手段】
そして、この目的を達成するために、本発明の請求項１記載の発明は、本体ケースと上ケースとをヒンジ機構を介して開閉可能に連結し、本体ケースの内面にキー操作部を配置し、上ケースの内面に画像表示部を配置した折り畳み携帯型通信機において、上記ヒンジ機構としての連結部に着信音再生用スピーカを配置した折り畳み携帯型通信機であり、この構成により、着信時の報知と音声付メールやゲーム使用時の音声を上ケースの開閉による折り畳みに関係無く全方向に再生可能とするものである。
【００１１】
本発明の請求項２記載の発明は、請求項１記載の発明において、本体ケース端部の固定部に着信音再生用スピーカを配置した折り畳み携帯型通信機であり、上ケースの開閉による折り畳みの動作によって上ケース端部が上記スピーカを塞ぐこと無く常に露出しており全方向に再生可能とするものである。
【００１２】
本発明の請求項３記載の発明は、請求項１記載の発明において、上ケース端部の可動部に着信音再生用スピーカを配置した折り畳み携帯型通信機であり、上ケースの開閉による折り畳みの動作によって本体ケース端部が上記スピーカを塞ぐこと無く常に露出しており全方向に再生可能とするものである。
【００１３】
本発明の請求項４記載の発明は、本体ケースと上ケースとをヒンジ機構を介して開閉可能に連結し、本体ケースの内面にキー操作部を配置し、上ケースの内面に画像表示部を配置した折り畳み携帯型通信機において、上記ヒンジ機構としての連結部に着信音再生用スピーカの放音部を配置した折り畳み携帯型通信機であり、この構成により、着信時の報知と音声付メールやゲーム使用時の音声を上ケースの開閉による折り畳みに関係無く全方向に再生音の放音を可能とするものである。
【００１４】
本発明の請求項５記載の発明は、請求項４記載の発明において、連結部の固定部側に着信音再生用スピーカの放音部を配置した折り畳み携帯型通信機であり、上ケースの開閉による折り畳みの動作によって上ケース端部が上記スピーカの放音部を塞ぐこと無く常に露出しており、全方向に再生可能とするものである。
【００１５】
本発明の請求項６記載の発明は、請求項４記載の発明において、連結部の可動部に着信音再生用スピーカの放音部を配置した折り畳み携帯型通信機であり、上ケースの開閉による折り畳みの動作によって本体ケース端部が上記スピーカの放音部を塞ぐこと無く常に露出しており、全方向に再生可能とするものである。
【００１６】
【発明の実施の形態】
（実施の形態１）
図１、図２は本発明の実施の形態１の折り畳み携帯型通信機を示す正面図である。
【００１７】
図１、図２に示すように本実施の形態は、扁平な本体ケース１と上ケース２をヒンジ機構としての連結部３を介して開閉可能に連結し、本体ケース１の内面にキー操作部４と送話部８を設け、上ケース２の内面に画像表示部５と受話部７を設けたものであり、上記ヒンジ機構としての連結部３に着信音再生用スピーカ６を配置した折り畳み携帯型通信機である。
【００１８】
本体ケース１端部のヒンジ機構としての連結部分を固定部３ｃとし、上ケース２端部のヒンジ機構としての連結部分を可動部３ｂとし、これら固定部３ｃと可動部３ｂは軸３ａにて連結されている。折り畳みの開閉動作時には、ヒンジ機構としての連結部３は固定部３ｃと可動部３ｂが軸３ａを中心に回転して本体ケース１と上ケース２の開閉による折り畳み動作をし、連結部３の固定部３ｃに配置したスピーカ６は常に露出した状態にて折り畳み携帯型通信機として使用できるものである。
【００１９】
すなわち、連結部３の固定部３ｃに着信音再生用スピーカ６を配置した折り畳み携帯型通信機では、図１に示すように上ケース２を開いている時、上記スピーカ６は表面に露出しており、図２に示すように上ケース２を閉じている時も上記スピーカ６は表面に露出している。このように上ケース２の開閉による折り畳みの動作時、上ケース２端部は上記スピーカ６の前面を通過した後に固定されるため、上ケース２端部が上記スピーカ６を塞ぐこと無く常に露出しており、上ケース２の開閉による折り畳みの動作に関係無く全方向に再生可能となるものである。
【００２０】
（実施の形態２）
図３、図４は本発明の実施の形態２の折り畳み携帯型通信機を示す正面図である。
【００２１】
図３、図４に示すように本実施の形態は、上ケース２端部の連結部３の可動部３ｂに着信音再生用スピーカ６を配置した折り畳み携帯型通信機であり、図３に示すように上ケース２を開いている時、上記スピーカ６は表面に露出しており、図４に示すように上ケース２を閉じている時も上記スピーカ６は表面に露出している。
【００２２】
このように上ケース２を可動させて折り畳みを開いた時は上ケース２端部の連結部３の可動と共に上記スピーカ６も可動するため、常に上記スピーカ６は露出しており、上ケース２の開閉による折り畳みの動作によって本体ケース１端部が上記スピーカ６を塞ぐこと無く常に露出しており、全方向に再生可能となるものである。
【００２３】
また、上ケース２側の連結部分である可動部３ｂの画像表示部５の面に対して垂直方向の面に着信音再生用スピーカ６を配置することにより、上ケース２を開閉時のどちらにおいても画像表示部５に対し垂直方向の面に配置したスピーカ６より着信音等が再生され、上ケース２の開閉の動作に関係無く全方向に再生可能となるものである。
【００２４】
（実施の形態３）
図５、図６は本発明の実施の形態３の折り畳み携帯型通信機を示す正面図である。
【００２５】
図５、図６に示すように本実施の形態は、扁平な本体ケース１と上ケース２をヒンジ機構としての連結部３を介して開閉可能に連結し、本体ケース１の内面にキー操作部４と送話部８を配置し、上ケース２の内面に画像表示部５と受話部７を配置したものであり、着信音再生用スピーカ１０ａは本体ケース１内部或いは上ケース２内部の空いたスペースに組込み配置し、ポート１０ｂなどを介してヒンジ機構としての連結部３に配置した放音部９より放音させる折り畳み携帯型通信機である。
【００２６】
本体ケース１端部のヒンジ機構としての連結部分を固定部３ｃとし、上ケース２端部のヒンジ機構としての連結部分を可動部３ｂとし、折り畳みの動作時には、ヒンジ機構としての連結部分の固定部３ｃと可動部３ｂが軸３ａを中心に回転して本体ケース１と上ケース２の開閉による折り畳み動作をし、連結部３の固定部３ｃに配置したスピーカの放音部９は常に露出した状態にて折り畳み携帯型通信機として使用できるものであり、開閉による折り畳みの動作に関係無く全方向に再生可能となるものである。
【００２７】
すなわち、連結部３の固定部３ｃに着信音再生用スピーカの放音部９を配置した折り畳み携帯型通信機では、上ケース２を閉じている時、上記スピーカの放音部９は表面に露出しており、上ケース２を閉じている時も上記スピーカの放音部９は表面に露出している。上ケース２の開閉による折り畳みの動作時、上ケース２端部は上記スピーカの放音部９の前面を通過した後に固定されるため、上ケース２端部が上記スピーカの放音部９を塞ぐこと無く常に露出しており、上ケース２の開閉による折り畳みの動作に関係無く全方向に再生可能となるものである。
【００２８】
（実施の形態４）
図７、図８は本発明の実施の形態４の折り畳み携帯型通信機を示す。
【００２９】
図７、図８に示すように本実施の形態は、上ケース２端部の連結部３の可動部３ｂに着信音再生用スピーカの放音部９を配置した折り畳み携帯型通信機であり、上ケース２を閉じている時、上ケース２端部の連結部３の可動部３ｂに配置した上記スピーカの放音部９は表面に露出しており、上ケース２を可動させて折り畳みを開いた時は上ケース２端部の連結部の可動と共に上記スピーカの放音部９も可動するため、常に上記スピーカの放音部９は露出しており、上ケース２の開閉による折り畳みの動作に関係無く全方向に再生可能となるものである。
【００３０】
また、上ケース２側の連結部分である可動部３ｂの画像表示部５の面に対して垂直方向の面に着信音再生用スピーカの放音部９を配置することにより、上ケース２を開閉時のどちらにおいても画像表示部５に対して垂直方向の面に配置したスピーカの放音部９より着信音が再生され、上ケース２を開いた時には画像表示部と垂直面に配置した着信音再生用スピーカの放音部９より着信音等が再生され、上ケース２の開閉による折り畳みの動作に関係無く全方向に再生可能となるものである。
【００３１】
【発明の効果】
以上のように本発明の折り畳み携帯型通信機によれば、上ケースを閉じた状態と開いた状態のいずれにおいても、その折り畳みに関係無く、使用者に聞き取りやすい着信音等の再生を実現できるものである。
【図面の簡単な説明】
【図１】本発明の第１の実施の形態の折り畳み携帯型通信機を示す上ケースを開いた状態の正面図
【図２】同第１の実施の形態の折り畳み携帯型通信機を示す上ケースを閉じた状態の正面図
【図３】本発明の第２の実施の形態の折り畳み携帯型通信機を示す上ケースを開いた状態の正面図
【図４】同第２の実施の形態の折り畳み携帯型通信機を示す上ケースを閉じた状態の正面図
【図５】本発明の第３の実施の形態の折り畳み携帯型通信機を示す上ケースを開いた状態の正面図
【図６】同第３の実施の形態の折り畳み携帯型通信機を示す要部断面図
【図７】本発明の第４の実施の形態の折り畳み携帯型通信機を示す上ケースを開いた状態の正面図
【図８】同第４の実施の形態の折り畳み携帯型通信機を示す要部断面図
【図９】従来の折り畳み携帯型通信機の上ケースを開いた状態の正面図
【図１０】従来の折り畳み携帯型通信機の上ケースを閉じた状態の正面図
【符号の説明】
１  本体ケース
２  上ケース
３  連結部
３ａ  軸
３ｂ  可動部
３ｃ  固定部
４  キー操作部
５  画像表示部
６  スピーカ
７  受話部
８  送話部
９  放音部
１０ａ  スピーカ
１０ｂ  ポート
【図１】
2004193931.tif 000003
【図２】
2004193931.tif 000004
【図３】
2004193931.tif 000005
【図４】
2004193931.tif 000006
【図５】
2004193931.tif 000007
【図６】
2004193931.tif 000008
【図７】
2004193931.tif 000009
【図８】
2004193931.tif 000010
【図９】
2004193931.tif 000011
【図１０】
2004193931.tif 000012